【手続補正書】
【提出日】令和3年10月13日(2021.10.13)
【手続補正１】
【補正対象書類名】特許請求の範囲
【補正対象項目名】請求項１１
【補正方法】変更
【補正の内容】
【請求項１１】
前記コネクタカバーは、コネクタカバー内周面に設けられた収容凹部を有し、
前記ハウジングは、前記コネクタカバー内周面に接触するハウジング外周面に設けられた収容凸部を有し、
前記収容凸部は、前記コネクタカバー内周面に向かって突出し、
前記収容凹部は、前記収容凸部を密接状態で収容する、請求項１から請求項１０のいずれか１項に記載のコネクタユニット。
【手続補正２】
【補正対象書類名】明細書
【補正対象項目名】００２１
【補正方法】変更
【補正の内容】
【００２１】
（１１）前記コネクタカバーは、コネクタカバー内周面に設けられた収容凹部を有し、前記ハウジングは、前記コネクタカバー内周面に接触するハウジング外周面に設けられた収容凸部を有し、前記収容凸部は、前記コネクタカバー内周面に向かって突出し、前記収容凹部は、前記収容凸部を密接状態で収容する、ことが好ましい。ハウジングとコネクタカバーが正規の向きで組み付けられることで、収容凸部が収容凹部に収容されて組み付けが可能となることから、コネクタカバーが上下逆向き等の誤組み付けの発生を未然に防止できるからである。
【手続補正３】
【補正対象書類名】明細書
【補正対象項目名】００３２
【補正方法】変更
【補正の内容】
【００３２】
また、図３および図４に示すように、ハウジング４４の長さ方向の前方部４４ａにおいて、幅方向に対向する周壁５６の後端部には、滑り止め凹所６８が形成されている。滑り止め凹所６８は、幅方向から見た側面視で３つの矩形状の凹所が連結されて形成されている。滑り止め凹所６８の３つの矩形状の凹所は後方側ほど上下方向に長くかつ深く構成されている。滑り止め凹所６８により、ハウジング４４を手指によって安定的に把持しつつ、コネクタ位置保証部品４６をコネクタ位置保証部品収容部５８内へ挿入することができる。加えて、ハウジング４４の後方部４４ｂの幅方向に対向する周壁５６の後方側には、係止突起７０が設けられている。係止突起７０は、後述するバックリテーナ８０をハウジング４４の後方部４４ｂに装着するために設けられている。また、図２および図３に示すように、ハウジング４４の前方部４４ａの周壁５６の内部には、突条３８を収容する収容凹所７２が設けられている。収容凹所７２は、図５に示すように、相手側コネクタハウジング１４に設けられた突条３８に対応する位置に、前方および内方に開口して設けられている。
【手続補正４】
【補正対象書類名】明細書
【補正対象項目名】００３７
【補正方法】変更
【補正の内容】
【００３７】
加えて、突部９０には、幅方向手前側の側面に連結部９６を介して蓋部９８が連結されている。蓋部９８の底面（図４において上下方向の上側に位置してＸ方向およびＹ方向に広がる面）の後方側には、幅方向の全長に亘って矩形平板状の検知リブ１００が設けられている。蓋部９８の天面（図４において上下方向の下側に位置してＸ軸方向およびＹ軸方向に広がる面）の中央部には、円筒状の保持用突部１０２が設けられている。これにより、蓋部９８の着脱が容易となり、蓋部９８の開口窓９２への着脱操作性を向上できる。また、蓋部９８の外周面には、外方に向かって開口しかつ周方向に向かって略三角断面形状で延びる環状の凹部１０４が設けられている。凹部１０４は、上下方向（Ｚ方向）に離隔して複数（本実施形態では、３個）設けられている。蓋部９８の連結部９６は薄い矩形平板状とされ板厚方向等に屈曲可能となっている。これにより、蓋部９８を検知リブ１００が設けられた側から容易に開口窓９２に挿入できる。すなわち、蓋部９８によって開口窓９２を開閉自在に覆うことができる。図１１に示すように、蓋部９８によって開口窓９２が覆蓋された状態では、開口窓９２の内周面に設けられた凸部９４は、蓋部９８の外周面に向かって突出している。また、凸部９４は、蓋部９８の外周面に設けられた凹部１０４に対して密接状態で収容されている。これにより、蓋部９８と開口窓９２の接触面間のシール性が向上し、コネクタカバー４８の防水機能の向上を図ることができる。しかも、蓋部９８の開口窓９２からの予期しない離脱を抑制できる。
【手続補正５】
【補正対象書類名】明細書
【補正対象項目名】００３９
【補正方法】変更
【補正の内容】
【００３９】
図４および図６に示すように、コネクタカバー４８のハウジング保持部８４において幅方向両側に位置する両側面の後端部には、支持部１０８がそれぞれ設けられている。すなわち、支持部１０８は、コネクタカバー４８の各側面からコネクタユニット１０の相手側コネクタ１２への嵌合方向（本実施形態では、長さ方向の前方）に交差する方向（本実施形態では、幅方向）に設けられている。これにより、コネクタユニット１０を相手側コネクタ１２に嵌合する際に、コネクタユニット１０の相手側コネクタ１２への嵌合方向への押し込み力を安定してコネクタユニット１０に伝えることができる。それゆえ、コネクタユニット１０の組立作業性を向上できる。しかも、支持部１０８は、相手側コネクタ１２への嵌合側に向かうにつれて（すなわち、長さ方向の前方に向かって）、コネクタカバー４８の外面からの突出高さが階段状に増大するように形成されている。それゆえ、支持部１０８が、支持部１０８を押圧する作業者の指先の形状に沿い易く、作業者が安定して支持部１０８を押圧できる。なお、支持部１０８の突出高さは、相手側コネクタ１２への嵌合側に向かって漸次増大している。
【手続補正６】
【補正対象書類名】明細書
【補正対象項目名】００４２
【補正方法】変更
【補正の内容】
【００４２】
図９に示すように、電線４０の貫通後に電線貫通筒部８６の後方側を結束テープ等の締結部材１１８によって結束固定する。これより、第１隔壁１１５ａの突出端部と第２隔壁１１５ｂの突出端部が当接して連接され、各電線４０が貫通される一対の電線貫通孔１１４が区画される。すなわち、第１隔壁１１５ａの突出端部と第２隔壁１１５ｂの突出端部は、電線貫通筒部８６の内面に連結されておらず、内面から分離可能である。したがって、電線貫通筒部８６に２本の電線４０を貫通配置させる作業時には、単一の電線貫通筒部８６として扱うことができる。すなわち、第１隔壁１１５ａの突出端部と第２隔壁１１５ｂの突出端部を相互に離隔させることにより、一対の電線貫通孔１１４を相互に連通させることができる。これにより、各電線貫通孔１１４への各電線４０の貫通作業を容易に行うことができる。そして、前述の通り、電線４０の貫通後に電線貫通筒部８６の後方側を締結部材１１８によって結束固定する。これにより、電線貫通筒部８６の防水性および防塵性が向上されている。すなわち、電線貫通筒部８６の外周面には、電線貫通筒部８６の内面を電線４０の外面に接触する締結部材１１８が固定されている。また、電線４０が貫通する電線貫通筒部８６は、コネクタカバー４８の前端部（図９中、左端部）である第１端部１０９の長さ方向の反対側（図９中、右側）に位置する第２端部１１９を有しており、電線貫通筒部８６の内面は、電線４０の外面に密接している。ここで、電線貫通筒部８６の内面とは、隔壁である第１隔壁１１５ａおよび第２隔壁１１５ｂの形成面を含んでいる。これにより、コネクタカバー４８の第１端部１０９側の防水性が環状シール部１１２により担保されている。コネクタカバー４８の第２端部１１９側の防水性が電線貫通筒部８６の内面を電線４０の外面に密接させることにより担保されている。これにより、コネクタカバー４８によるさらなる防水性の向上を図ることができる。
【手続補正７】
【補正対象書類名】明細書
【補正対象項目名】００４３
【補正方法】変更
【補正の内容】
【００４３】
＜本実施形態の組付方法＞
本実施形態の組付方法について以下に簡単に説明する。はじめに、コネクタカバー４８，バックリテーナ８０とシール部材８２を記載順に、電線４０の後端部に予め貫通させておく。次に、端子４２を準備し、この端子４２を電線４０の端末部に対して導通接続する。このように構成された２本の電線４０に接続された端子４２を端子貫通孔５４側から端子保持部５２内に挿入し、奥まで押し込む。これにより、端子保持部５２内に設けられた図示しないリテーナが端子４２の後端部に係止して、端子保持部５２内に端子４２が安定的に収容保持される。その後、バックリテーナ８０とシール部材８２をハウジング４４側に移動して、バックリテーナ８０をハウジング４４の係止突起７０に係止する。これによりハウジング４４の後方部４４ｂに固定する。続いて、コネクタ位置保証部品４６をハウジング４４のコネクタ位置保証部品収容部５８に挿入した後に、コネクタカバー４８をハウジング４４側に移動してハウジング４４を覆う。この際、コネクタ位置保証部品収容部５８が、コネクタカバー４８の内周面に設けられたコネクタ位置保証部品収容部５８を収容する収容凹部である収容部８９に密接状態で収容されている。収容部８９は、コネクタカバー４８の内周面に接触するハウジング４４の外周面に設けられている。コネクタ位置保証部品収容部５８は、ハウジング４４の外周面の上部からコネクタカバー４８の内周面に向かって突出する収容凸部である。これにより、コネクタカバー４８がハウジング４４に対して上下逆向き等に誤組み付けされることが抑制されている。
【手続補正８】
【補正対象書類名】明細書
【補正対象項目名】００４４
【補正方法】変更
【補正の内容】
【００４４】
また、図９に示すように、コネクタカバー４８のハウジング保持部８４の前端部に設けられた位置決め部１１０がハウジング４４の前方部４４ａの前端部に係止される。コネクタカバー４８のハウジング保持部８４の後端部がバックリテーナ８０の後面に係止される。これにより、コネクタカバー４８がハウジング４４に対して位置決めされて固定されている。図９に示すように、ハウジング４４の前方部４４ａの後端部とハウジング４４の後方部４４ｂの前方側においてコネクタカバー４８の内面が縮径されている。それゆえ、コネクタカバー４８の内面とハウジング４４の外面が密着している。これにより、図７に示すように、コネクタ位置保証部品４６の操作部７８に対して押圧部１０６が当接されている。これにより、コネクタ位置保証部品４６が初期位置である仮係止位置に位置決め配置されるようになっている。図７に示すように、この状態では、コネクタ位置保証部品４６と係止部６０の前方側の間には、相手側コネクタハウジング１４の上面に設けられた一対の突条３２，３２を収容する一対の収容凹所１２０が前方および上方に開口して設けられている。以上の結果、図２に示すように、コネクタユニット１０と、コネクタユニット１０を構成するコネクタ１１に接続される電線４０と、を備える本開示の実施形態１に係るワイヤハーネス１２２が完成される。
【手続補正９】
【補正対象書類名】明細書
【補正対象項目名】００５４
【補正方法】変更
【補正の内容】
【００５４】
（４）上記実施形態１では、コネクタカバー４８の内周面に凹所収容部８８が設けられ、ハウジング４４の外周面に凹所７２が設けられていたが、コネクタカバー４８の内周面に収容凹所７２が設けられ、ハウジング４４の外周面に凹所収容部８８が設けられていてもよい。
【手続補正１０】
【補正対象書類名】図面
【補正対象項目名】図１１
【補正方法】変更
【補正の内容】
【図１１】
2021168264.tif 000001